(57)【特許請求の範囲】
【請求項１】
吸引ノズルと前記吸引ノズルに接続された延長管を備える吸引ノズル組立体に形成された固定部と、
掃除機本体に形成され、前記固定部と結合して前記吸引ノズル組立体を前記掃除機本体に支持する対応固定部と、を含み、
前記固定部は、前記吸引ノズル組立体の前記吸引ノズル及び前記延長管のうちのいずれか一つの空気流れ方向の中心に対して回転可能に配置されたことを特徴とする真空掃除機用の吸引ノズル掛け装置。
【請求項２】
前記固定部は、
前記吸引ノズルの接続コネクタと前記延長管の接続コネクタのうちいずれか一箇所の外周面に前記接続コネクタの長手方向の中心に対して回転可能に配置されたスリーブと、
前記スリーブの外周面に形成され、前記スリーブから突出され下向に折り曲げられた折り曲げ突起部と、
を含むことを特徴とする請求項１に記載の真空掃除機用の吸引ノズル掛け装置。
【請求項３】
前記折り曲げ突起部は、前記スリーブの外周面に所定角度で配置された複数の折り曲げ突起部を含むことを特徴とする請求項２に記載の真空掃除機用の吸引ノズル掛け装置。
【請求項４】
前記対応固定部は、前記掃除機本体の後面に形成され、前記折り曲げ突起部を収容できる突起部収容溝を備えたポケット部を含むことを特徴とする請求項２に記載の真空掃除機用の吸引ノズル掛け装置。
【請求項５】
前記ポケット部は、前記掃除機本体の前記後面から所定の高さで突出したことを特徴とする請求項４に記載の真空掃除機用の吸引ノズル掛け装置。
【発明の詳細な説明】
【技術分野】
【０００１】
本発明は真空掃除機に関し、より詳細には、掃除終了後に吸引ノズルを含む吸引ノズル組立体を掃除機本体に掛けて保管できる真空掃除機用の吸引ノズル掛け装置に関する。
【背景技術】
【０００２】
一般に、真空掃除機は吸引モータを用いて強力な吸引力を発生し、被掃除面に付いている汚物や埃などを吸込んで被掃除面を掃除する。このような真空掃除機は被掃除面と接触して移動する時に被掃除面にある汚物を吸引する吸引ノズルを備える。
【０００３】
一般の真空掃除機、例えば、キャニスタ掃除機の吸引ノズルは、通常多段式の延長管と吸引ホースを介して掃除機本体に接続される。よって、掃除終了後掃除機を保管する場合、吸引ノズルと接続管を含む吸引ノズル組立体を立てて保管しないと、吸引ノズル組立体が占める空間が大きくなり、掃除機の保管空間が多く必要となる。
【０００４】
この問題を防止するために、従来の掃除機は吸引ノズル組立体を掃除機本体に掛けて保管する掛け装置を備える。従来の掛け装置は、吸引ノズルの接続コネクタに長手方向に形成されたL字型のストッパー、及びストッパーを収容して支持するように掃除機本体の縦方向に形成された差し込み部から構成される。真空掃除機を保管する際、ストッパーは差し込み部に差し込まれ、これにより、吸引ノズル組立体の吸引ノズルと延長管は掃除機本体に垂直に掛けられて保管することができる。
【０００５】
しかし、上記のような従来の掛け装置は、ストッパーが吸引ノズルの接続コネクタに動かないように固設されている。よって、吸引ノズルの接続コネクタのストッパーを掃除機本体の差し込み部に差し込んで結合する時、吸引ノズル組立体の吸引ノズルは常にストッパーが掃除機本体の差し込み部と対向するように整列しなければならない。すなわち、従来の掛け装置は、吸引ノズル組立体を掃除機本体に掛けようとする場合、ストッパーと差し込み部とが対向するように位置しないと、ユーザは吸引ノズルと延長管、即ち吸引ノズル組立体の全体を回転させてストッパーと差し込み部とが対向するように整列させなければならない煩わしさがあった。
【特許文献１】韓国特許登録第１０−７１３２８５号
【特許文献２】韓国実用新案公開第２０−１９９９−２３１２１号
【発明の開示】
【発明が解決しようとする課題】
【０００６】
本発明は上記の問題点を鑑みてなされたもので、本発明の目的は、吸引ノズルを含む吸引ノズル組立体が掃除機本体に対して掛け方向性を有しないようにし、吸引ノズル組立体を自由方向で本体に掛けて保管できる真空掃除機用の吸引ノズル掛け装置を提供することにある。
【課題を解決するための手段】
【０００７】
上記のような目的を達成するための本発明の一実施形態に係る真空掃除機用の吸引ノズル掛け装置は、吸引ノズルと前記吸引ノズルに接続された延長管を備える吸引ノズル組立体に形成された固定部と、掃除機本体に形成され、固定部と結合して前記吸引ノズル組立体を前記掃除機本体に支持する対応固定部と、を含み、固定部は、前記吸引ノズル組立体の吸引ノズルまたは延長管の空気流れ方向の中心に対して回転可能に配置されたことを特徴とする。
【０００８】
ここで、固定部は、吸引ノズルの接続コネクタと延長管の接続コネクタのうちいずれか一箇所の外周面に前記接続コネクタの長手方向の中心に対して回転可能に配置されたスリーブと、スリーブの外周面に形成され、スリーブから突出され下向に折り曲げられた折り曲げ突起部と、を含むことができる。ここで、選択的に、折り曲げ突起部は、スリーブの外周面に所定角度で配置された複数の折り曲げ突起部を含むことができる。
【０００９】
対応固定部は、前記掃除機本体の後面に形成され、折り曲げ突起部を収容できる突起部収容溝を備えたポケット部を含むことができる。このとき、ポケット部は、吸引ノズルの上面が掃除機本体側に向かっている状態で、吸引ノズルが掃除機本体と接触及び干渉することなく掛けられるように、掃除機本体の後面から所定の高さで突設したことが好ましい。
【発明の効果】
【００１０】
本発明によると、真空掃除機用の吸引ノズル掛け装置は、固定部が吸引ノズル組立体の吸引ノズルまたは延長管の接続コネクタに長手方向の中心に対して回転可能に配置される。よって、吸引ノズルまたは延長管の接続コネクタの固定部を掃除機本体の対応固定部に結合するとき、固定部と対応固定部とが互いに対向するように整列されていなくても、吸引ノズル組立体の全体を回転させて固定部と掃除機本体の対応固定部とが対向するように整列することなく、固定部のみ回転させて対応固定部と対向するように整列させればよい。そのため、従来の吸引ノズル掛け装置のように、固定部が掃除機本体の対応固定部と互いに対向するように整列されていない場合、ユーザが吸引ノズル組立体の全体を回転させて固定部と対応固定部とか対向するように整列させなければならない煩わしさがなくなる。
【発明を実施するための最良の形態】
【００１１】
以下、添付の図面に基づいて本発明の実施形態に係る真空掃除機用の吸引ノズル掛け装置について詳細に説明する。
【００１２】
図１は、吸引ノズル組立体２０を自由方向で掃除機本体２５に掛けて保管することができる本発明の一実施形態に係る真空掃除機用の吸引ノズル掛け装置１０が適用された真空掃除機１００の一例を示す図である。
【００１３】
同図に示すように、真空掃除機１００は、吸引ノズル組立体２０と掃除機本体２５を含む。吸引ノズル組立体２０は埃や汚物などが含有された空気を吸引する吸引ノズル２１を備える。
【００１４】
吸引ノズル２１は上部において接続コネクタ２１ａ（図２参照）によって多段式延長管２２の対応接続コネクタ２２ａに接続されている。同図に示すように、接続コネクタ２１ａは多段式延長管２２の対応接続コネクタ２２ａに挿入されるように対応接続コネクタ２２ａより小径の円筒状のパイプから構成される。接続コネクタ２１ａには、対応接続コネクタ２２ａとの接続時、対応接続コネクタ２２ａに形成された固定溝３６に挿入される可撓性突起３７が形成されている。可撓性突起３７は接続コネクタ２１ａが対応接続コネクタ２２ａからはずされるとき、対応接続コネクタ２２ａのボタン３８によって押圧され固定溝３６から簡単に抜けられる。
【００１５】
多段式延長管２２は操作ハンドル２３に接続され、操作ハンドル２３は吸引ホース２４を介して掃除機本体２５と接続される。掃除機本体２５は集塵室２６とモータ室２７とに分離区画されている。
【００１６】
本発明の吸引ノズル掛け装置は、吸引ノズル組立体２０の吸引ノズル２１に形成された固定部１１、及び掃除機本体２５の後方に形成された対応固定部１５を備える。
【００１７】
固定部１１は、吸引ノズル２１上部の接続コネクタ２１ａの辺りで空気流れ方向の中心に対して回転可能に配置される。このために、図３に示すように、固定部１１は円筒型のスリーブ１２を備える。
【００１８】
スリーブ１２は接続コネクタ２１ａの外周面に回転可能に配置される。スリーブ１２が接続コネクタ２１ａの外周面で回転できるようにするため、接続コネクタ２１ａの外周面には円柱状の第１及び第２円形隆起部１３、１４が形成されており、スリーブ１２の内周面には円形隆起部１３、１４と結合するガイド溝１２ａが形成されている。この場合、スリーブ１２は円形隆起部１３，１４をガイド溝１２ａに強引に挿入することにより接続コネクタ２１ａの外周面に設置される。選択的に、図４に示すように、スリーブ１２’が接続コネクタ２１ａで回転できるようにするため、接続コネクタ２１ａの外周面には円柱状の円形リング１３’と円形隆起部１４が形成され、スリーブ１２’は円形リング１３’と円形隆起部１４との間に設置することができる。このとき、円形リング１３’は、スリーブ１２’が円形リング１３’と円形隆起部１４との間に設置された後、接続コネクタ２１ａの外周面にネジ式で固定される。
【００１９】
スリーブ１２の一側にはスリーブ１２から突出して下向に折り曲げられた折り曲げ突起部１６が形成されている。折り曲げ突起部１６は、後述する対応固定部１５のポケット部１７の突起部収容溝１８に差し込み固定され、吸引ノズル組立体２０を掃除機本体２５に掛けられるようにする。
【００２０】
ここで、折り曲げ突起部１６は一つであることと例示したが、図５に示すように、所定の角度で配置された複数、例えば２つの折り曲げ突起部１６’で構成することができる。
【００２１】
対応固定部１５は固定部１１と結合して吸引ノズル組立体２０を掃除機本体２５に固定及び支持するもので、掃除機本体２５の後面に形成される。対応固定部１５は折り曲げ突起部１６を収容できる突起部収容溝１８を備えたポケット部１７から構成される。ポケット部１７は、図８Ｂに示すように、吸引ノズル２１の上面が掃除機本体２５側に向かっている状態で吸引ノズル組立体２０が掃除機本体２５に固定されるとき、吸引ノズル２１が掃除機本体２５の後面と接触及び干渉せずに掛けられるように掃除機本体２５の後面から所定の高さで突出するように形成されたことが好ましい。
【００２２】
以上において、本発明の真空掃除機用の吸引ノズル掛け装置１０は、固定部１１が吸引ノズル２１の接続コネクタ２１ａに設けられていることと例示及び説明したが、本発明はこれに限定されるものではない。例えば、図６に示すように、固定部１１’は延長管２２の対応接続コネクタ２２ａに同一の構成と原理で設けることができる。この場合、対応接続コネクタ２２ａは吸引ノズル２１の接続コネクタ２１ａに挿入されるように接続コネクタ２１ａより小径の円筒型のパイプから構成される。また、可撓性突起３７’は対応接続コネクタ２２ａに形成され、ボタン（図示せず）と固定溝（図示せず）は接続コネクタ２１ａに形成される。
【００２３】
このように構成された本発明の真空掃除機用の吸引ノズル掛け装置１０の動作を図７Ａないし図８Ｂに基づいて詳細に説明すると次の通りである。
【００２４】
まず、掃除が終了した後、ユーザが吸引ノズル組立体２０を掃除機本体２５に掛けて保管するために、図７Ａに示すように、吸引ノズル組立体２０を固定部１１の折り曲げ突起部１６が吸引ノズル２１の上面側に位置し、吸引ノズルの下面が掃除機本体２５側に向かっている状態で掃除機本体２５側に移動させることを仮定すると、ユーザは固定部１１の折り曲げ突起部１６を持って折り曲げ突起部１６を矢印方向（Ｒ）に回転させて折り曲げ突起部１６が掃除機本体２５側に移動するようにする。それから、ユーザは吸引ノズル組立体２０を下方向、すなわち矢印方向（Ａ）に下降させて折り曲げ突起部１６を突起部収容溝１８に差し込む。その結果、図７Ｂに示すように、吸引ノズル組立体２０は掃除機本体２５に固定される。
【００２５】
逆に、吸引ノズル組立体２０を図８Ａに示すように、固定部１１の折り曲げ突起部１６が吸引ノズル２１の下面に位置し、吸引ノズル２１の上面が掃除機本体２５側に向かっている状態で掃除機本体２５側に移動させることを仮定すると、ユーザは固定部１１の折り曲げ突起部１６を持って折り曲げ突起部１６を矢印方向（Ｒ）に回転させて折り曲げ突起部１６が掃除機本体２５側に移動するようにする。それから、ユーザは吸引ノズル組立体２０を下方向、すなわち矢印方向（Ａ）に下降させて折り曲げ突起部１６を突起部収容溝１８に差し込む。その結果、図８Ｂに示すように、吸引ノズル組立体２０は掃除機本体２５に固定される。
【００２６】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【産業上の利用可能性】
【００２７】
本発明の吸引ノズル掛け装置は、真空掃除機に適用され、あとかたづけの際に吸引ノズルを含む吸引ノズル組立体を掃除機本体に掛けて保管するのに有用に使用することができる。
【図面の簡単な説明】
【００２８】
【図１】本発明の一実施形態に係る真空掃除機用の吸引ノズル掛け装置が適用された真空掃除機を例示する斜視図である。
【図２】図１に示された真空掃除機の吸引ノズルの側面図である。
【図３】図２に示された吸引ノズルに設けれられた吸引ノズル掛け装置の固定部を示す部分断面図である。
【図４】図３に示された固定部の変形例を示す部分断面図である。
【図５】図２に示された固定部の他の変形例を示す平面図である。
【図６】図１に示された延長管に設けられる吸引ノズル掛け装置の固定部のまた他の変形例を示す部分側面図である。
【図７Ａ】図１に示された真空掃除機の吸引ノズル組立体を掃除機本体に掛ける動作を例示する斜視図である。
【図７Ｂ】図１に示された真空掃除機の吸引ノズル組立体を掃除機本体に掛ける動作を例示する斜視図である。
【図８Ａ】図１に示された真空掃除機の吸引ノズル組立体を掃除機本体に掛ける動作を例示する斜視図である。
【図８Ｂ】図１に示された真空掃除機の吸引ノズル組立体を掃除機本体に掛ける動作を例示する斜視図である。
【符号の説明】
【００２９】
１０    吸引ノズル掛け装置
１１、１１’  固定部
１２、１２’  スリーブ
１５    対応突起部
１６、１６’  折り曲げ突起部
１７    ポケット部
１８    突起部収容溝
２０    吸引ノズル組立体
２１    吸引ノズル
２２    延長管
２５    掃除機本体
１００  真空掃除機
【図１】
0005069626.tif 000002
【図２】
0005069626.tif 000003
【図３】
0005069626.tif 000004
【図４】
0005069626.tif 000005
【図５】
0005069626.tif 000006
【図６】
0005069626.tif 000007
【図７Ａ】
0005069626.tif 000008
【図７Ｂ】
0005069626.tif 000009
【図８Ａ】
0005069626.tif 000010
【図８Ｂ】
0005069626.tif 000011